(57)【要約】【課題】封水椀部から溢れ出た排水を下水側に流出させる排水トラップにおいて、流出口より下水側の配管の洗浄を容易に行うことができるとともに、封水椀部の清掃を簡単に行うことができる排水トラップを提供すること。【解決手段】排水が流入される流入口２５と、この流入口２５から流入した排水を溜める封水椀部１１と、流入口２５を有するとともに、封水椀部１１内に配置されて封水を形成する防臭筒２２と、封水椀部１１から溢れ出た排水を下水側に流出させる流出口１９と、を備える排水トラップ３において、封水椀部１１は排水トラップ本体８とは別個に形成され、排水トラップ本体８内には、封水椀部１１が着脱自在に取り付けられる取り付け部１８が形成されており、封水椀部１１を取り付け部１８から取り外すことで、流出口１９が排水トラップ本体８の上面開口側に開放されるようになっている。【選択図】図２
2007120022.tif 000002
【特許請求の範囲】
【請求項１】
排水が流入される流入口と、該流入口から流入した排水を溜める封水椀部と、前記流入口を有するとともに、前記封水椀部内に配置されて封水を形成する防臭筒と、前記封水椀部から溢れ出た排水を下水側に流出させる流出口と、を備える排水トラップにおいて、
前記封水椀部は排水トラップ本体とは別個に形成され、前記排水トラップ本体内には、前記封水椀部が着脱自在に取り付けられる取り付け部が形成されており、前記封水椀部を前記取り付け部から取り外すことで、前記流出口が前記排水トラップ本体の上面開口側に開放されるようになっている、ことを特徴とする排水トラップ。
【請求項２】
前記封水椀部が浮上することを防ぐ浮上防止手段を備える、ことを特徴とする請求項１に記載の排水トラップ。
【請求項３】
前記流入口の周囲には、該流入口に向けて排水を誘導する水受板が形成されており、
前記浮上防止手段は、前記水受板と、前記取り付け部に取り付けられた状態において前記水受板の下面に当接する突起部が上端縁に形成された封水椀部と、から構成されている、ことを特徴とする請求項２に記載の排水トラップ。
【請求項４】
前記流入口の周囲には、該流入口に向けて排水を誘導する水受板が形成されており、
前記浮上防止手段は、前記水受板と、前記取り付け部に取り付けられた状態において上端縁が前記水受板の下面に当接する高さを有するとともに、側面に溢出口が形成された封水椀部と、から構成されている、ことを特徴とする請求項２に記載の排水トラップ。
【請求項５】
前記浮上防止手段は、前記封水椀部に形成された係合部と、前記取り付け部に形成され、前記係合部が係合される被係合部と、から構成されている、ことを特徴とする請求項２に記載の排水トラップ。
【請求項６】
前記取り付け部は、前記排水トラップ本体の底面に凹設され、前記封水椀部の取り付け時において該封水椀部の下部が嵌合されるように形成されている、ことを特徴とする請求項１ないし５のいずれかに記載の排水トラップ。
【請求項７】
前記封水椀部の上方には、上面が開口するとともに、底面に前記流入口が形成された水受椀部が設けられているとともに、該水受椀部内には網かごが配置されており、該網かごの最下面と前記封水椀部に溜まる封水の水面とに接触する接触部材を備える、ことを特徴とする請求項１ないし６のいずれかに記載の排水トラップ。
【発明の詳細な説明】
【技術分野】
【０００１】
本発明は、キッチン台のシンクの底部や浴室の床面などに設置される排水トラップに関する。
【背景技術】
【０００２】
従来のキッチン台のシンクの底部や浴室の床面などに設置される排水トラップとして、排水トラップ内に流入してくる排水を溜める封水部（封水椀部）と、封水部内に配置されて下水側からの臭気の通過を阻止する防臭筒と、封水部の周りに配置された外壁部（外周流路部）と、封水部から溢れ出た排水を外壁部を介して下水側に排出する排出口（流出口）と、を備えているものがある（例えば、特許文献１参照）。
【０００３】
また、U字型の排水トラップ等を用いた排水管を洗浄する方法として、先端に高圧水噴射ノズルを設けた屈曲自在なホースを、シンク等に設けられた排水管内に挿入して、このホースに洗浄水を高圧で供給し、その洗浄水をノズルから噴出させることで排水管内の付着固形物を除去するようにした高圧洗浄方法が提案されている（例えば、特許文献２参照）。
【０００４】
【特許文献１】特開２００２−３０２９７９号公報（第３頁、第１図）
【特許文献２】特開平６−１３６８１７号公報（第２頁、第３図）
【発明の開示】
【発明が解決しようとする課題】
【０００５】
しかしながら、特許文献１に記載の排水トラップにあっては、下水側からの臭気の通過を封水により阻止するために、封水部（封水椀部）に溜められた排水が溢れ出ることで外壁部（外周流路部）に流れ出し、外壁部に形成された排出口から排水が排出される構造となっているとともに、排水トラップの上下幅を抑えるために、封水部を極力上方に配置し、封水部から排水が溢れ出るスペースの上下幅を狭めているため、例えば特許文献２に記載されているような高圧洗浄を行う際に、封水部の上端部が邪魔になり、高圧水噴射ノズルを排水トラップの排出口から下水側の配管内に挿入できないという問題があった。
【０００６】
また、封水部は排水トラップ本体に一体的に形成されているため、封水部内が汚れた場合、排水トラップ本体の奥方まで手を差し込んだ姿勢で清掃しなければならず、大変であった。
【０００７】
本発明は、このような問題点に着目してなされたもので、封水椀部から溢れ出た排水を下水側に流出させる排水トラップにおいて、流出口より下水側の配管の洗浄を容易に行うことができるとともに、封水椀部の清掃を簡単に行うことができる排水トラップを提供することを目的とする。
【課題を解決するための手段】
【０００８】
前記課題を解決するために、本発明の請求項１に記載の排水トラップは、
排水が流入される流入口と、該流入口から流入した排水を溜める封水椀部と、前記流入口を有するとともに、前記封水椀部内に配置されて封水を形成する防臭筒と、前記封水椀部から溢れ出た排水を下水側に流出させる流出口と、を備える排水トラップにおいて、
前記封水椀部は排水トラップ本体とは別個に形成され、前記排水トラップ本体内には、前記封水椀部が着脱自在に取り付けられる取り付け部が形成されており、前記封水椀部を前記取り付け部から取り外すことで、前記流出口が前記排水トラップ本体の上面開口側に開放されるようになっている、ことを特徴としている。
この特徴によれば、封水椀部を排水トラップ本体に形成された取り付け部から取り外して流出口を上面開口側に開放させることができるため、流出口より下水側の配管の洗浄を容易に行うことができるとともに、封水椀部が汚れた場合、封水椀部を排水トラップ本体から取り出した状態で清掃を行うことができるため、清掃作業が容易になる。
【０００９】
本発明の請求項２に記載の排水トラップは、請求項１に記載の排水トラップであって、
前記封水椀部が浮上することを防ぐ浮上防止手段を備える、ことを特徴としている。
この特徴によれば、浮上防止手段によって封水椀部の浮上が防止されていることで、排水に含まれるゴミが封水椀部と取り付け部との間に詰まり、流路が狭まったり、詰まったゴミが腐ることが防止される。
【００１０】
本発明の請求項３に記載の排水トラップは、請求項２に記載の排水トラップであって、
前記流入口の周囲には、該流入口に向けて排水を誘導する水受板が形成されており、
前記浮上防止手段は、前記水受板と、前記取り付け部に取り付けられた状態において前記水受板の下面に当接する突起部が上端縁に形成された封水椀部と、から構成されている、ことを特徴としている。
この特徴によれば、封水椀部の突起部が水受板の下面に当接することで、封水椀部の浮上が防止されるとともに、封水椀部の上端縁と水受板の下面との間に間隙が確保され、この間隙を介して封水椀部内の排水が溢れ出るため、流路が塞がることがない。
【００１１】
本発明の請求項４に記載の排水トラップは、請求項２に記載の排水トラップであって、
前記流入口の周囲には、該流入口に向けて排水を誘導する水受板が形成されており、
前記浮上防止手段は、前記水受板と、前記取り付け部に取り付けられた状態において上端縁が前記水受板の下面に当接する高さを有するとともに、側面に溢出口が形成された封水椀部と、から構成されている、ことを特徴としている。
この特徴によれば、封水椀部の上端縁が水受板の下面に当接することで、封水椀部の浮上が防止されるとともに、封水椀部の側面に形成された溢出口を介して封水椀部内の排水が溢れ出るため、流路が塞がることがない。
【００１２】
本発明の請求項５に記載の排水トラップは、請求項２に記載の排水トラップであって、
前記浮上防止手段は、前記封水椀部に形成された係合部と、前記取り付け部に形成され、前記係合部が係合される被係合部と、から構成されている、ことを特徴としている。
この特徴によれば、封水椀部の係合部が被係合部に係合されることで、封水椀部の浮上が防止されるとともに、封水椀部の下部と取り付け部とを確実に密着させることができるので、排水に含まれるゴミが封水椀部の下部と取り付け部との間に詰まりにくくなる。
【００１３】
本発明の請求項６に記載の排水トラップは、請求項１ないし５のいずれかに記載の排水トラップであって、
前記取り付け部は、前記排水トラップ本体の底面に凹設され、前記封水椀部の取り付け時において該封水椀部の下部が嵌合されるように形成されている、ことを特徴としている。
この特徴によれば、取り付け部に取り付けた状態において、封水椀部の下部が取り付け部内に嵌合され、封水椀部の下部と取り付け部とをより効果的に密着させることができるので、排水に含まれるゴミが封水椀部の下部と取り付け部との間に詰まりにくくなる。
【００１４】
本発明の請求項７に記載の排水トラップは、請求項１ないし６のいずれかに記載の排水トラップであって、
前記封水椀部の上方には、上面が開口するとともに、底面に前記流入口が形成された水受椀部が設けられているとともに、該水受椀部内には網かごが配置されており、該網かごの最下面と前記封水椀部に溜まる封水の水面とに接触する接触部材を備える、ことを特徴としている。
この特徴によれば、水が有する表面張力によって、網かごの網目に停滞する水が接触部材を介して封水椀部に溜められた排水に流れ落ちるようになり、網かごの乾燥を早めることができ、網かごにおけるカビ等の発生を防ぐことができる。
【発明を実施するための最良の形態】
【００１５】
本発明に係る排水トラップを実施するための最良の形態を実施例に基づいて以下に説明する。
【実施例１】
【００１６】
本発明の実施例を図面に基づいて説明すると、先ず図１は、実施例１における排水トラップが設けられたシンクを示す縦断側面図であり、図２は、実施例１における排水トラップを示す縦断側面図であり、図３は、実施例１における防臭筒を示す斜視図であり、図４は、実施例１における封水椀部を示す斜視図であり、図５は、高圧洗浄を行うときの排水トラップを示す縦断側面図である。
【００１７】
図１の符号１は、台所に配置されるキッチン台である。以下、図１の紙面左側をキッチン台１の正面側として説明すると、このキッチン台１には、シンク２が設けられており、シンク２の底面には、排水トラップ３が配置されている。この排水トラップ３には、床下に配置される下水管（図示略）に通じる排水管４が接続されている。
【００１８】
図１に示すように、シンク２の下方には、収納空間５が形成されており、シンク２の正面側には、収納空間５を開放させることができる扉６が取り付けられている。排水トラップ３に接続された排水管４は、排水トラップ３から背面側に延びてから屈曲されて下方に延設されている。そのためシンク２の下方の収納空間５が、排水管４によって邪魔されることなく広く使用できるようになっている。
【００１９】
図２に示すように、排水トラップ３は、シンク２の底面に形成された開口にフランジ７を介して固着された有底円筒状のトラップ本体８を有しており、このトラップ本体８は、上方に開口されてシンク２からの排水が流入される開口部９を備えた水受椀部１０（水受部）と、水受椀部１０よりも下方に配置されて上方の水受椀部１０から流れてくる排水を溜める封水椀部１１と、この封水椀部１１の外周に環状に配置されて封水椀部１１から溢れ出た排水を誘導する外周流路部１２と、外周流路部１２の下流側に形成された流出口１９と、外周流路部１２に囲まれてトラップ本体８の底面の中央部位に凹設された封水椀部１１の取り付け部１８と、から主に構成されている。
【００２０】
図２及び図４に示すように、封水椀部１１は、上方が開放されるお椀型、つまり有底円筒状をなすとともに、トラップ本体８を構成する外壁とは別個に形成される筒状体からなり、トラップ本体８の取り付け部１８に着脱自在に取り付けられており、上方に引き出すことでトラップ本体８の外部に取り外しできるようになっている。取り付け部１８に取り付けられた状態において、この封水椀部１１の上端縁から溢れ出た水が周囲に形成される外周流路部１２に流れ落ちるようになっている。
【００２１】
封水椀部１１の上端縁には、本実施例における浮上防止手段としての３つの突起部２７が、所定間隔（本実施例では１２０度間隔）おきに上方に向けて凸設されている。また、封水椀部１１の底面中央部位には、中央が上方に突出された三角錐形状を成す山型部１３が形成されている。
【００２２】
図２に示すトラップ本体８の取り付け部１８は、上面が封水椀部１１の底面と同一形状を成しており、取り付け部１８における封水椀部１１の山型部１３に対応する位置には山型部１８ａが形成されている。また、取り付け部１８は、その周囲に形成される外周流路部１２の底面よりも下方に形成され、凹状の取り付け部１８が形成されているため、封水椀部１１を取り付け部１８に取り付けることで、封水椀部１１の下部、詳しくは底面及び側面下部が凹状の取り付け部１８内に嵌合されるとともに、山型部１３に山型部１８ａが嵌合されるため、取り付け部１８に取り付けた状態における封水椀部１１の水平方向のがたつきが効果的に防止され、安定して設置される。
【００２３】
尚、水受椀部１０は円筒状に形成され、その内部には排水中に含まれる大きなゴミ等が封水椀部１１内に入り込むことを防ぐ網かご１４が取り付けられるようになっている。また、トラップ本体８の上部には、水受椀部１０の上方の開口部９を蓋う蓋体１５が着脱自在に取り付けられており、この蓋体１５により網かご１４内に捕捉されたゴミを隠すことができるようになっている。
【００２４】
図２に示すように、蓋体１５は、上面に円盤状の板部材１６が配置されており、この板部材１６によって水受椀部１０の上面開口を蓋うことができるようになっているとともに、板部材１６の一部は切り欠かれており、この板部材１６の切り欠かれた部位に略半円形状の皿部１７が形成されている。この皿部１７は、板部材１６の中心から離れた位置に形成されるとともに、板部材１６よりも下方に配置されており、板部材１６と皿部１７の間には、段部１７ａが形成されている。また、この段部１７ａには、側方に開口して排水を水受椀部１０に流入させることができる流入孔（図示略）が形成されている。
【００２５】
トラップ本体８の外周流路部１２には、側方に開口して排水管４に接続される流出口１９が形成されている。詳しくは、この流出口１９の外周面には雄ネジ１９ａが形成されているとともに、該雄ネジ１９ａには袋ナット２０が螺入されており、排水管４を流出口１９に挿入した状態で、袋ナット２０を流出口１９の雄ネジ１９ａに螺合することで、流出口１９に排水管４が取り付けられている。尚、流出口１９と排水管４との間には、ゴムリング２１が設けられ、排水管４が流出口１９に水密に取り付けられるため、漏水が防止されている。
【００２６】
更に図２及び図３に示すように、排水トラップ３は、トラップ本体８に上方から取り付けられる円筒状の防臭筒２２を備えている。この防臭筒２２の下部には、封水椀部１１に遊嵌される筒体２３が形成されているとともに、防臭筒２２の上部には、外方に向けて拡径する環状のフランジ部２４（水受板）が形成されている。フランジ部２４の上面は、該防臭筒２２の上面開口、すなわち水受椀部１０内の排水をその下方の封水椀部１１内に流入させるための中央の流入口２５に導く水受面を構成している。フランジ部２４の上面は流入口２５の周囲に環状に形成されており、その外周側端面には雄ネジ２４ａが形成されている。尚、本実施例においては、フランジ部２４の上面が水受椀部１０の底面を構成している。
【００２７】
つまり、図３に示すように、水受椀部１０内の排水は、水受椀部１０の底面中央に形成された流入口２５から防臭筒２２内に流入し、防臭筒２２内を流下して該防臭筒２２の下端開口から封水椀部１１に流入する。また、流入口２５には、棒状の摘み片２６が流入口２５の中心を通るように掛け渡されている。更に、トラップ本体８における水受椀部１０と外周流路部１２との間には、防臭筒２２の雄ネジ２４ａが螺合される雌ネジ８ａが形成されている。
【００２８】
また、封水椀部１１及び防臭筒２２をトラップ本体８に取り付ける際には、先ず封水椀部１１をトラップ本体８の上面開口から挿入してトラップ本体８の底面に形成された取り付け部１８に取り付ける。そして、防臭筒２２をトラップ本体８に上方から挿入し、摘み片２６を摘んで防臭筒２２を回転させることで、フランジ部２４の外周縁端面に形成された雄ネジ２４ａがトラップ本体８に形成された雌ネジ８ａに螺合して取り付けられる。これにより、トラップ本体８の内部がフランジ部２４により上下に区画され、流入口２５のみを介してトラップ本体８の上下部、すなわち上方の水受椀部１０と下方の封水椀部１１及び外周流路部１２とが連通されることになる。
【００２９】
尚、図２に示すように、防臭筒２２がトラップ本体８の取り付け部１８に取り付けられると、封水椀部１１の突起部２７が防臭筒２２のフランジ部２４の下面に当接され、封水椀部１１の底面が取り付け部１８の上面に当接した状態で固定される。このとき、封水椀部１１の上端縁とフランジ部２４の下面との間には、突起部２７の高さ分の間隙が形成されるようになっているとともに、防臭筒２２を回転させて雄ネジ２４ａを雌ネジ８ａに螺合すればするほど防臭筒２２が下方に向けて押圧され、封水椀部１１の下面が取り付け部１８の上面に強く圧接されるため、取り付け部１８の上面と封水椀部１１の下面とがより強く密接される。
【００３０】
このように構成された排水トラップ３にあっては、図２に示すように、シンク２から流れてきた排水が封水椀部１１に溜まるようになっているとともに、この封水椀部１１内に上方から防臭筒２２の筒体２３が挿入され、筒体２３の下端と封水椀部１１の底面との間及び封水椀部１１の内周と筒体２３の外周との間に隙間、すなわち流路が形成されるように配置した状態でフランジ部２４の雄ネジ２４ａを雌ネジ８ａに螺合して封止することで、流入口２５と流出口１９とが封水椀部１１を介してのみ連通することになるが、この封水椀部１１内に所定レベル（例えば水面α）まで水が溜まることにより、筒体２３の下端と封水椀部１１の底面との間及び封水椀部１１の内周と筒体２３の外周との間に形成された隙間が水により塞がる、すなわち封水椀部１１と防臭筒２２とにより封水（封水椀部１１内に溜まる排水）が形成されることにより、下水側、つまり流出口１９側からの臭気や害虫等が屋内側に進入してきても、この封水椀部１１を通過することができないようになっている。尚、排水の流速を高めるため、筒体２３の下端と封水椀部１１の底面との間及び封水椀部１１の内周と筒体２３の外周との間に形成された隙間は５〜９ｍｍであることが好ましい。
【００３１】
尚、防臭筒２２の摘み片２６の中央部には、本実施例における接触部材としての上方に突出する凸部２６ａと下方に突出する凸部２６ｂが形成されている。上方側に突出する凸部２６ａは、網かご１４の最下面に当接するようになっているとともに、下方側に突出する凸部２６ｂは、封水椀部１１に溜められた封水の水面αに接触するように形成されている。
【００３２】
このように防臭筒２２に設けられた摘み片２６に、網かご１４の下面と封水の水面αの両方に接触できる凸部２６ａ，２６ｂが設けられることで、水が有する表面張力によって、網かご１４の網目に停滞する水が凸部２６ａ，２６ｂを介して封水椀部１１に溜められた封水に流れ落ちるようになり、網かご１４の乾燥を早めることができ、網かご１４におけるカビ等の発生を防ぐことができる。
【００３３】
次に、排水がシンク２から排水トラップ３内に連続的に流入したときの排水の流れについて説明する。図２に示すように、シンク２から蓋体１５の板部材１６上に流れ込んだ排水は、板部材１６の上面から皿部１７に流れ込み、皿部１７から流入孔（図示略）を介して水受椀部１０に流入される。
【００３４】
そして、水受椀部１０内に流れ落ちて防臭筒２２のフランジ部２４上を流れる排水は、環状のフランジ部２４の中央部に形成された流入口２５から筒体２３内を流下して下方の封水椀部１１に流れ落ちる。図２に示すように、封水椀部１１に所定量の排水が流入すると、封水椀部１１の上端縁とフランジ部２４の下面との間に形成された間隙から封水椀部１１内の排水が溢れ出し、外周流路部１２に流れ落ちるようになっている。
【００３５】
また、封水椀部１１の底面に、中央部が上方に突出された山型部１３が形成されていることで、封水椀部１１の底面の中央にゴミが溜まりにくくなるばかりか、封水椀部１１の底面外周部寄り、すなわち封水椀部１１の内周面と筒体２３の外周面との間に形成される流路に向けてゴミが流動しやすくなるため、封水椀部１１の底面の外周に溜まったゴミは、排水の水流により浮上し、封水椀部１１から排水とともに外周流路部１２に溢れ出やすくなる。外周流路部１２に流入した排水は、流出口１９から排水管４に流出する。
【００３６】
尚、封水椀部１１の突起部２７がフランジ部２４の下面に当接されていることで、外周流路部１２に排水が流れ込んだときに、該外周流路部１２の排水により封水椀部１１が浮上することを防ぐことができる。そのため封水椀部１１の底面と取り付け部１８の上面とが密着された状態を維持でき、排水に含まれるゴミが封水椀部１１の底面と取り付け部１８の上面との間に詰まることがないばかりか、封水椀部１１が浮上することによって、封水椀部１１の上端縁とフランジ部２４の下面との間の間隙（流路）が狭まることがなく、封水椀部１１から外周流路部１２に溢れ出る排水を速やかに流すことができる。
【００３７】
尚、防臭筒２２の摘み片２６の中央部に形成された上方側に突出する凸部２６ａは、網かご１４の最下面に当接できるようになっているとともに、下方側に突出する凸部２６ｂは、封水椀部１１に溜められた封水の水面αに接触できるように形成されている。
【００３８】
次に、排水管４の高圧洗浄を行うときの排水トラップ３について説明する。図５に示すように、先端に高圧洗浄用の噴射ノズル２８を設けたホース２９をシンク２側から排水管４に挿入するためには、トラップ本体８から蓋体１５と防臭筒２２と封水椀部１１とを上方に取り外す。すると、流出口１９をトラップ本体８の上面開口である開口部９側（シンク２側）に開放され、ホース２９を開口部９側から外周流路部１２に設けられた流出口１９に挿入することができるようになる。そして、噴射ノズル２８から洗浄水を高圧で噴出させて排水管４の高圧洗浄を行うことができる。
【００３９】
以上説明してきたように、本発明の実施例１における排水トラップ３にあっては、トラップ本体８とは別個に形成された封水椀部１１をトラップ本体８の底面に形成された取り付け部１８から上方に取り外して流出口１９を開口部９側に開放させることができるため、流出口１９より下水側の排水管４の洗浄を容易に行うことができるとともに、封水椀部１１が汚れた場合、封水椀部１１を排水トラップ本体８から取り出した状態で清掃を行うことができるため、排水トラップ本体８内に手を深く挿入した無理な姿勢で清掃することなく、封水椀部１１内部を楽な姿勢で清掃作業を行うことができる。
【００４０】
また、防臭筒２２をトラップ本体８から取り外すだけで、取り付け部１８内に嵌合されていた封水椀部１１を簡単に取り出すことができるとともに、防臭筒２２をトラップ本体８に対してねじ込みにより取り付けできることで、封水椀部１１の底面が取り付け部１８の上面に圧接された状態で取り付け部１８に取り付けられることになるため、封水椀部１１の底面と取り付け部１８の上面との間にゴミが入り込むことが効果的に防止される。
【実施例２】
【００４１】
次に、実施例２に係る排水トラップにつき、図６から図８を参照して説明する。尚、前記実施例１に示される構成部分と同一構成部分に付いては同一符号を付して重複する説明を省略する。図６は、実施例２における排水トラップを示す縦断側面図であり、図７は、実施例２における防臭筒を示す斜視図であり、図８は、実施例２における封水椀部を示す斜視図である。
【００４２】
図６に示すように、トラップ本体８の底面に形成された取り付け部１８には、上方から流れてくる排水を溜める封水椀部１１’が着脱自在に取り付けられる。図８に示すように、封水椀部１１’は上方が開放される有底円筒形状のお椀型を成しており、封水椀部１１’の側面には、複数の溢出口３０が形成されている。封水椀部１１’に溜められた封水は、溢出口３０から溢れ出て外周流路部１２に流れ落ちるようになっている。
【００４３】
図７に示すように、防臭筒２２’の上部には、略円盤状を成すフランジ部２４’が形成されている。フランジ部２４’の中央部に形成された流入口２５には、該流入口２５の中心を挟んで対向配置される内方に突出する２つの摘み片２６’が形成されている。フランジ部２４’の外周縁には、略Ｌ字形状を成す係合凹部３１が２箇所に形成されている。
【００４４】
また、フランジ部２４’の外周縁を囲むようにゴム製のパッキンリング３２が設けられている。このパッキンリング３２の外周は、図６に示すように、防臭筒２２’がトラップ本体８に取り付けられたときに、トラップ本体８の内面に圧接して水封されるようになっている。更にトラップ本体８における水受椀部１０と外周流路部１２との間には、防臭筒２２’の係合凹部３１が係合される係合凸部３３が突設されている。
【００４５】
図７の部分拡大図に示すように、フランジ部２４’の外周縁に形成された係合凹部３１は、垂直方向に延びる幅広の垂直溝３１ａと、該垂直溝３１ａの上端から水平方向に延設される幅狭の水平溝３１ｂとで構成されており、水平溝３１ｂが垂直溝３１ａよりも長くなるように形成されている。この係合凹部３１に係合される係合凸部３３は、その断面形状が水平方向に長い長円形状を成している。
【００４６】
また、封水椀部１１’及び防臭筒２２’をトラップ本体８に取り付ける際には、先ず封水椀部１１’をトラップ本体８に形成された取り付け部１８に取り付ける。そして、防臭筒２２’をトラップ本体８に上方から挿入し、防臭筒２２’の筒体２３を封水椀部１１’に遊嵌し、摘み片２６’を摘んで防臭筒２２’を回転させることで、フランジ部２４’の外周縁に形成された係合凹部３１をトラップ本体８に形成された係合凸部３３に係合させて取り付けることができる。
【００４７】
尚、図７の部分拡大図に示すように、係合凹部３１を構成する水平溝３１ｂが垂直溝３１ａよりも長く形成され、かつ垂直溝３１ａが幅広で水平溝３１ｂが幅狭に形成されていることで、係合凹部３１に多少のゴミ等が詰まっても、係合凸部３３が係合凹部３１に容易に係合できるとともに、防臭筒２２’をトラップ本体８に確実に固定できる。
【００４８】
尚、図６に示すように、防臭筒２２’がトラップ本体８に取り付けられると、封水椀部１１’の上端縁の全域が防臭筒２２’のフランジ部２４’の下面に当接され、封水椀部１１’の底面が取り付け部１８の上面に当接した状態で固定される。つまり、本実施例２における封水椀部１１’にあっては、取り付け部１８に取り付けられた状態において上端縁がフランジ部２４’の下面に当接する高さを有するとともに、側面における上端縁よりも下方に複数の溢出口３０が形成されており、これらフランジ部２４’と封水椀部１１’とにより浮上防止手段が構成されていることで、封水椀部１１’から外周流路部１２に流れ落ちる排水を常に速やかに流すことができる。
【００４９】
以上、本実施例２によれば、封水椀部１１’の上端縁がフランジ部２４’の下面に当接されることで浮上防止手段が構成され、外周流路部１２に排水が流れ込んだときに、封水椀部１１’が浮上されることを防ぐことができる。そのため封水椀部１１’の底面と取り付け部１８の上面が密着された状態を維持でき、排水に含まれるゴミが封水椀部１１’の底面と取り付け部１８の上面との間に詰まらないようになっている。
【実施例３】
【００５０】
次に、実施例３に係る排水トラップにつき、図９を参照して説明する。尚、前記実施例１に示される構成部分と同一構成部分に付いては同一符号を付して重複する説明を省略する。図９は、実施例３における排水トラップを示す縦断側面図である。
【００５１】
図９に示すように、トラップ本体８の取り付け部１８’’には、本実施例における被係合部としての凸部３４が形成されている。封水椀部１１’’の底面には、中央が上方に突出されて底面が凹むように形成された本実施例３における係合部としての凹部３５が設けられている。更に、凸部３４には、雄ネジ３４ａが形成されるとともに、凹部３５には、雌ネジ３５ａが形成されており、凸部３４と凹部３５とは互いに螺合できるようになっている。
【００５２】
図９に示すように、封水椀部１１’’をトラップ本体８に取り付ける際には、封水椀部１１’’を回転させながらトラップ本体８の取り付け部１８’’に取り付け、凹部３５を凸部３４に螺合させる。そして、防臭筒２２をトラップ本体８に取り付けられた状態において、封水椀部１１’’の上端縁とフランジ部２４の下面との間には、封水椀部１１’’から溢れ出る排水が通過する間隙（流路）が形成されるようになっている。
【００５３】
以上、本実施例によれば、封水椀部１１’’の底面に形成された凹部３５と、取り付け部１８’’の底面に形成された凸部３４とにより浮上防止手段が構成され、外周流路部１２に排水が流れ込んだときに、封水椀部１１’’が浮上されることを防ぐことができる。そのため封水椀部１１’’の底面と取り付け部１８’’の上面が密着された状態を維持でき、排水に含まれるゴミが封水椀部１１’’の底面と取り付け部１８’’の上面との間に詰まらないばかりか、封水椀部１１’’が浮上することによって、封水椀部１１’’の上端縁とフランジ部２４の下面との間の間隙が狭まるようなことがなくなり、封水椀部１１’’から外周流路部１２に流れ落ちる排水を常に速やかに流すことができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例１では、フランジ部２４と、上端縁にフランジ部２４’の下面に当接する複数の突起部２７が形成された封水椀部１１と、により浮上防止手段が構成され、前記実施例２では、フランジ部２４と、溢出口３０が側面に形成され、上端縁がフランジ部２４’の下面に当接する高さを有する封水椀部１１’と、により浮上防止手段が構成され、前記実施例３では、封水椀部１１’’の凹部３５と、取り付け部１８’’の凸部３４と、により浮上防止手段が構成されているが、浮上防止手段はこれらのみに限定されるものではなく、例えば永久磁石を取り付け部１８に配置しておくとともに、封水椀部１１を着磁可能金属で形成することで、磁力によって封水椀部１１を取り付け部１８に吸着により取り付けることで浮上を防ぐものであってもよいし、更に、筒体２３の側部やフランジ部２４の下面に複数の突起部を設け、この突起部に封水椀部１１の上端縁が当接されることで封水椀部１１の浮上を防ぐものであってもよい。
【００５６】
また、前記実施例では、流入口２５に排水を誘導する水受板が、防臭筒２２の上端に形成された環状のフランジ部２４にて構成され、該フランジ部２４の下面に突起部２７や封水椀部１１’の上端縁が当接されるようになっていたが、水受板は防臭筒２２に形成されているものでなくてもよく、例えばトラップ本体８における水受椀部１０の底板であってもよい。
【００５７】
また、前記実施例では、網かごの最下面と封水椀部に溜められる封水の水面とに接触することができる接触部材として、防臭筒２２の流入口２５に掛け渡された摘み片２６に形成された凸部２６ａ，２６ｂによって構成されていたが、本発明はこれに限定されるものではなく、防臭筒２２と別体で接触部材を構成してもよい。例えば、封水椀部１１の底面に形成された山型部１３の頂点をさらに上方まで延設して、山型部１３を網かご１４の最下面に接触させることで接触部材を構成してもよいし、網かご１４の最下面に下方に延びる棒部材を固着させ、この棒部材の下端が封水椀部１１の封水の水面と接触するようにして接触部材を構成してもよい。
【図面の簡単な説明】
【００５８】
【図１】実施例１における排水トラップが設けられたシンクを示す縦断側面図である。
【図２】実施例１における排水トラップを示す縦断側面図である。
【図３】実施例１における防臭筒を示す斜視図である。
【図４】実施例１における封水椀部を示す斜視図である。
【図５】高圧洗浄を行うときの排水トラップを示す縦断側面図である。
【図６】実施例２における排水トラップを示す縦断側面図である。
【図７】実施例２における防臭筒を示す斜視図である。
【図８】実施例２における封水椀部を示す斜視図である。
【図９】実施例３における排水トラップを示す縦断側面図である。
【符号の説明】
【００５９】
１                キッチン台
２                シンク
３                排水トラップ
４                排水管
５                収納空間
６                扉
７                フランジ
８                トラップ本体（排水トラップ本体）
８ａ              雌ネジ
９                開口部
１０              水受椀部
１１、１１’、１１’’  封水椀部（浮上防止手段）
１２              外周流路部
１３              山型部
１４              網かご
１５              蓋体
１６              板部材
１７              皿部
１７ａ            段部
１８              取り付け部
１８ａ            山型部
１９              流出口
１９ａ            雄ネジ
２０              袋ナット
２１              ゴムリング
２２              防臭筒
２３              筒体
２４              フランジ部（水受板、浮上防止手段）
２４ａ            雄ネジ
２５              流入口
２６              摘み片
２６ａ，２６ｂ    凸部（接触部材）
２７              突起部（浮上防止手段）
２８              噴射ノズル
２９              ホース
３０              溢出口
３１              係合凹部
３１ａ            垂直溝
３１ｂ            水平溝
３２              パッキンリング
３３              係合凸部
３４              凸部（浮上防止手段、被係合部）
３５              凹部（浮上防止手段、係合部）
【図１】
2007120022.tif 000003
【図２】
2007120022.tif 000004
【図３】
2007120022.tif 000005
【図４】
2007120022.tif 000006
【図５】
2007120022.tif 000007
【図６】
2007120022.tif 000008
【図７】
2007120022.tif 000009
【図８】
2007120022.tif 000010
【図９】
2007120022.tif 000011